(57)【特許請求の範囲】
【請求項１】
建物の壁面に開口する換気系の室外側開口端に嵌め装着される装着用筒部と、この装着用筒部の室外側開口部の外側を、下方を除いて被覆するカバー部とを備えた換気系の室外端末器であって、
径の異なる２つの筒体を中心線を合わせて接続したことにより段部を有し、一方の開口部に形成された段部を前記装着用筒部の室外側開口端に嵌められ、他方の開口部を前記カバー部内に水平方向に突出させる段付き筒部と、前記段付き筒部の段部の内側に上部を枢支されて設けられ、自由垂下状態で前記装着用筒部の室外側開口部を閉止状態に維持するとともに室内からの排気流によって室外側へ回動する開閉部材とを含むユニット構造を備え、前記段付き筒部は、前記カバーの開放部から吹き込む外風が前記開閉部材を煽ることを抑制することを特徴とする換気系の室外端末器。
【請求項２】
建物の壁面に開口する換気系の室外側開口端に嵌め装着される装着用筒部と、この装着用筒部の室外側開口部の外側を、下方を除いて被覆するカバー部とを備えた換気系の室外端末器であって、
径の異なる２つの筒体を中心線を合わせて接続したことにより段部を有し、一方の開口部に形成された段部を前記装着用筒部の室外側開口端に嵌められ、他方の開口部を前記カバー部内に水平方向に突出させる段付き筒部と、前記段付き筒部の段部の内側に上部を枢支されて設けられ、自由垂下状態にて下縁と前記段付き筒部の下側の内面とが近接するとともに外部からの給気流によって室内側へ回動する開閉部材とを含むユニット構造を備え、前記段付き筒部は、前記カバーの開放部から吹き込む外風が前記開閉部材を煽ることを抑制することを特徴とする換気系の室外端末器。
【請求項３】
前記段付き筒部の上部の水平方向の突出量は下部の水平方向の突出量よりも大きいことを特徴とする請求項１又は２に記載の換気系の室外端末器。
【請求項４】
前記開閉部材より室内側に温度ヒューズの溶断で当該部の風路を閉止する防火ダンパーを設けたことを特徴とする請求項１から３のいずれか１項に記載の換気系の室外端末器。
【発明の詳細な説明】
【０００１】
【発明の属する技術分野】
本発明は、建物の壁面に開口する換気系の室外側開口端に嵌め装着される装着用筒部と、装着用筒部の室外側開口部を、下方を除いて被覆するカバー部とを備えた換気系の室外端末器に関するものである。
【０００２】
【従来の技術】
換気系の室外端末器は、主として換気のための通風路における室外側（多くは屋外）からの室内側への風雨の侵入を防止するためのものである。排気のための通風路端に使用するものと、給気のために使用するものとがあるが、基本的な構成は、建物の壁面に開口する換気系の室外側開口端に嵌め装着される装着用筒部と、装着用筒部の室外側開口部を、下方を除いて被覆するカバー部とを備え、装着用筒部の室外側開口部には、垂直面内で回動し室外側開口部の開口面積を可変する開閉シャッターが自由垂下状態に設けられた構成が採られている。排気用のものでは、開閉シャッターは換気停止時には垂下状態になって室外側開口部を閉止しており、換気時には排気流の風圧を受けて回動し、室外側開口部を開放している。また、給気用のものでは、開閉シャッターは換気停止時には垂下状態になって室外側開口部の開口面積をごく小さくしており、給気による換気時には給気流の風圧を受けて回動し、室外側開口部を広く開放している。
【０００３】
【発明が解決しようとする課題】
上記した従来の換気系の室外端末器においては、自由垂下状態におかれている開閉シャッターの反枢支側縁がカバー部の下方の開放部の壁面側に沿う形態になっており、カバー部の開放部から外風が吹込み開閉シャッターの反枢支側縁に潜るように作用すると、開閉シャッターが煽られ室外側開口部を閉止状態又は開口面積をごく小さく維持することが困難になるうえ、煽られることによる異音も発生するといった問題点があった。
【０００４】
開閉シャッターのこうした機能不全は、計画換気を実現しようとする高密度住宅などでは、外気の侵入や過剰給気となり、適性な換気が実現できなくなるばかりでなく、室内の空調雰囲気さえも阻害されることになる。
【０００５】
本発明は、係る従来の問題点を解決するためになされたものであって、その課題とするところは、計画換気の実現に寄与でき、外風の侵入による異音の発生や、室内の空調雰囲気の阻害を回避できる換気系の室外端末器を得ることであり、その室外端末器の機能を高めることである。
【０００６】
【課題を解決するための手段】
前記課題を達成するために請求項１の発明は、建物の壁面に開口する換気系の室外側開口端に嵌め装着される装着用筒部と、装着用筒部の室外側開口部の外側を、下方を除いて被覆するカバー部とを備えた換気系の室外端末器について、径の異なる２つの筒体を中心線を合わせて接続したことにより段部を有し、一方の開口部に形成された段部を装着用筒部の室外側開口端に嵌められ、他方の開口部をカバー部内に水平方向に突出させる段付き筒部と、段付き筒部の段部の内側に上部を枢支されて設けられ、自由垂下状態で装着用筒部の室外側開口部を閉止状態に維持するとともに室内からの排気流によって室外側へ回動する開閉部材とを含むユニット構造を備え、段付き筒部は、カバーの開放部から吹き込む外風が開閉部材を煽ることを抑制することを特徴とする。
【０００７】
前記課題を達成するために請求項２の発明は、建物の壁面に開口する換気系の室外側開口端に嵌め装着される装着用筒部と、装着用筒部の室外側開口部の外側を、下方を除いて被覆するカバー部とを備えた換気系の室外端末器について、径の異なる２つの筒体を中心線を合わせて接続したことにより段部を有し、一方の開口部に形成された段部を装着用筒部の室外側開口端に嵌められ、他方の開口部をカバー部内に水平方向に突出させる段付き筒部と、段付き筒部の段部の内側に上部を枢支されて設けられ、自由垂下状態にて下縁と前記段付き筒部の下側の内面とが近接するとともに外部からの給気流によって室内側へ回動する開閉部材とを含むユニット構造を備え、段付き筒部は、カバーの開放部から吹き込む外風が開閉部材を煽ることを抑制することを特徴とする。
【０００８】
前記課題を達成するために請求項３の発明は、請求項１又は２に記載の換気系の室外端末器において、段付き筒部の上部の水平方向の突出量は下部の水平方向の突出量よりも大きいことを特徴とする。
【０００９】
前記課題を達成するために請求項４の発明は、請求項１から３のいずれか１項に記載の換気系の室外端末器において、開閉部材より室内側に温度ヒューズの溶断で当該部の風路を閉止する防火ダンパーを設けたことを特徴とする。
【００１６】
【発明の実施の形態】
実施の形態１．
図１〜図７によって示す本実施の形態は、図１に示すように建物の壁面１に開口するダクト管２等により構成される排気による換気系の室外側開口端に嵌め装着される装着用筒部３と、装着用筒部３の室外側開口部４の下方に開放部５を有し、装着用筒部３の外側を被覆するカバー部６を備えた換気系の室外端末器に関するものである。装着用筒部３は一端に半径方向に張り出すフランジ７を有する筒体として構成され、換気系の室外側開口部４にフランジ７を壁面１側にして嵌め装着される。
【００１７】
カバー部６は、片丸屋根形のフード状に構成され、壁面１側に設けられたフランジ８において装着用筒部３のフランジ７に密接されて装着用筒部３の前面に室外側へ突出した状態に装着されている。装着用筒部３には、装着用筒部３内に室外側開口部４から嵌合させうる接続筒部９と、これより少し大径の筒体１０が中心線を合わせて接続された段付き筒部１１が、その接続筒部９によって嵌め装着されている（図１，図３参照）。この段付き筒部１１内の段部には、装着用筒部３の通風線上に、垂直面内で回動し装着用筒部３の室外側開口部４の実質的な開口面積を可変する開閉部材１２が自由垂下状態に上部において水平方向に枢支されている。
【００１８】
この開閉部材１２は、室外側へは自由に回動できるが、自由垂下状態から室内側への回動は段部近傍に設けられたストッパー１３に回動側端縁が当接することにより規制されている。この状態では装着用筒部３の室外側開口部４は実質的に閉止される。段付き筒部１１の筒体１０は、図１に示すようにカバー部６内へカバー部６の突出量の半分くらいにまで突出していて、自由状態にある開閉部材１２の下縁と筒体１０の内面とは開閉部材１２の回動を許容する限りで近接していて、カバー部６の下部の開放部５から吹込む外風の開閉部材１２に対する障壁の機能を果たし、開閉部材１２の回動側に作用する外風を遮断する遮蔽手段１４となっている。開閉部材１２は、換気系に排気流が形成されることによりその風圧を受けて開放側（室外側）へ回動し、装着用筒部３の室外側開口部４を実質的に開放して、カバー部６の下部の開放部５から排気流を外部に放出するが、図示のように一枚構成でも分割構成でも構わない。
【００１９】
換気系の排気流が止まると、開閉部材１２は自重によって回動して装着用筒部３の室外側開口部４を実質的に閉止する。これにより、外風が換気系に侵入して計画換気の換気量を乱したり、室内の空調雰囲気を阻害したりすることが回避される。しかしながら、遮蔽手段１４が機能しない場合には、カバー部６内に外風が吹込むと、開閉部材１２は風に煽られ装着用筒部３の室外側開口部４をしっかり閉止する機能を失い、換気系への外風の侵入や煽りによる異音を発生することになる。
【００２０】
本実施の形態の室外端末器では、下方からカバー部６に吹込んだ外風は開閉部材１２の外側を覆っている筒体１０により遮られ、開閉部材１２の回動側に作用する力とはならない。そして、筒体１０内へ吹込んだ外風は、筒体１０に案内されて開閉部材１２を閉止側へ押圧するように作用することになるため、開閉部材１２の外風阻止機能は確保されることになる。自由状態にある開閉部材１２の下縁と筒体１０の内面とは近接しているため、開閉部材１２の回動側縁から外風が潜り込んで開閉部材１２を煽るようなこともない。
【００２１】
また、本実施の形態のように開閉部材１２と遮蔽手段１４を段付き筒部１１に組付けてユニット構造とすることにより、装着用筒部３とカバー部６とからなる単純な構成の室外端末器に装着することによって簡単に外風侵入防止機能を付与することができ、既設の室外端末器にも適用できるようになる。カバー部６内に開閉部材１２及び遮蔽手段１４を設ける構成を採ることにより、組付けが容易になりコストも軽減できる。
【００２２】
筒体１０については、図４に示すようにカバー部６側の開放端に関して、上側を短く下側を長くすることによって、勾配のあるカバー部６と筒体１０の開放端との距離が長くできるため、外風の遮蔽機能は保持したまま圧力損失を低減することができる。筒体１０の外風の開閉部材１２に対する遮蔽機能は、開閉部材１２の回動側縁に働けばよいので、図５に示すようにカバー部６の下方の開放部５と、開閉部材１２の回動側縁の間を隔てる板状体１５で構成することもできる。また、筒体１０と開閉部材１２による構成を採り、これを図６に示すように装着用筒部３内に収込むことも出来る。この構成を採ることにより、カバー部６内へ突出する構造がなくなるので圧力損失を低減することが可能になる。
【００２３】
そして、図７に示すように開閉部材１２より室内側の装着用筒部３内に、温度ヒューズ１６の溶断で当該部の風路を閉止する常開式の防火ダンパー１７を設けることにより、二重の防火機能を果たすことができ、換気系の防火機能を向上させることもできる。なお、この場合、開閉部材１２を含む構成部材は金属製とすることになる。
【００２４】
実施の形態２．
図８〜図１３に示す本実施の形態は、実施の形態１で示した排気に関する室外端末器を給気に関する室外端末器として構成したものであり、開閉部材が装着用筒部の室外側開口部を全閉せず、その開口面積を換気系の給気量に応じて可変する構成以外は実質的に実施の形態１のものと同じである。従って、実施の形態１と同じ部分については、実施の形態１のものと同じ符号を用い、それらについての説明は省略する。
【００２５】
本実施の形態の室外端末器は、図８に示すように建物の壁面１に開口するダクト管２等により構成される給気による換気系の室外側開口端に嵌め装着される装着用筒部３と、装着用筒部３の室外側開口部４の下方に開放部５を有し、装着用筒部３の外側を被覆するカバー部６とを備えた室外端末器に関するものである。実施の形態１で示した排気による換気系の室外端末器と異なるのは、換気時の風の流れ方向が室外側から室内側になり、排気用とは反対方向となることと、開閉部材１２が装着用筒部３の室外側開口部４を自由垂下状態でも全閉せず、最小限の開口面積が保持されていることである。
【００２６】
開閉部材１２は、オーバハング状の開口部１８を構成する室外側端が斜めに形成された筒部の開口部１８に自由垂下状態に取付けられている。開口部１８にはストッパー１３が設けられ、このストッパー１３に当接するまで開閉部材１２は換気系に形成される給気流による風圧で室内側へ回動することができる。開閉部材１２の外風に対する煽りを防止する遮蔽手段１４は、実施の形態１で示した排気用のものと同様に筒体１０として構成され、カバー部６内へカバー部６の突出量の半分くらいにまで突出していて、カバー部６の下部の開放部５から吹込む外風の開閉部材１２に対する障壁の機能を果たし、開閉部材１２の回動側に作用する外風を遮断する。
【００２７】
本実施の形態の室外端末器では、下方からカバー部６に吹込んだ外風は開閉部材１２の外側を覆っている筒体１０により遮られ、開閉部材１２の回動側に作用する力とはならない。自由状態にある開閉部材１２の下縁と筒体１０の内面とは近接しているため、開閉部材１２の回動側縁から外風が潜り込んで開閉部材１２を煽るようなこともない。
【００２８】
また、本実施の形態のように開閉部材１２と筒体１０とを図１０に示すようなユニット構造とすることにより、装着用筒部３とカバー部６とからなる単純な構成の室外端末器に取付けることにより簡単に外風侵入防止機能を付与することができ、既設の給気用の室外端末器にも適用できるようになる。
【００２９】
筒体１０については、図１１に示すようにカバー部６側の開放端に関して、上側を短く下側を長くすることによって、勾配のあるカバー部６と筒体１０の開放端との距離が長くできるため、外風の遮蔽機能は保持したまま圧力損失を低減することができる。
【００３０】
筒体１０の外風の開閉部材１２に対する遮蔽機能は、開閉部材１２の回動側縁に働けばよいので、図１２に示すようにカバー部６の下方の開放部５と、開閉部材１２の回動側縁の間を隔てる板状体１５で構成することもできる。また、筒体１０と開閉部材１２による構成として、装着用筒部３内に収込む構成を採ることも出来る。この構成を採ることにより、カバー部６内へ突出する構造がなくなるので圧力損失を低減することが可能になる。
【００３１】
そして、図１３に示すように開閉部材１２より室内側の装着用筒部３内に、温度ヒューズ１６の溶断で当該部の風路を閉止する常開式の防火ダンパー１７を設けることにより、二重の防火機能を果たすことができ、換気系の防火機能を向上させることもできる。なお、この場合、開閉部材１２を含む構成部材は金属製とすることになる。これ以外の機能は実質的に実施の形態１のものと同じである。
【００３２】
【発明の効果】
請求項１の発明によれば、計画換気の実現に寄与でき、外風の侵入による異音の発生や、室内の空調雰囲気の阻害を回避できる換気系の室外端末器が得られるとともに、段付き筒部の装着が容易に行える。さらに、ユニット構造とされた段付き筒部と開閉部材とを、装着用筒部とカバー部とからなる単純な構成の室外端末器に装着することによって簡単に外風侵入防止機能を付与することができ、既設の室外端末器にも適用できるようになる。
【００３３】
請求項２の発明によれば、計画換気の実現に寄与でき、外風の侵入による異音の発生や、室内の空調雰囲気の阻害を回避できる換気系の室外端末器が得られるとともに、段付き筒部の装着が容易に行える。さらに、ユニット構造とされた段付き筒部と開閉部材とを、装着用筒部とカバー部とからなる単純な構成の室外端末器に装着することによって簡単に外風侵入防止機能を付与することができ、既設の室外端末器にも適用できるようになる。
【００３４】
請求項３の発明によれば、請求項１又は請求項２のいずれかに係る前記効果とともに圧力損失を低減できる。
【００３５】
請求項４の発明によれば、請求項１〜請求項３までのいずれかに係る前記効果とともに開閉部材と防火ダンパーで二重の防火機能を果たすことができる。
【図面の簡単な説明】
【図１】  実施の形態１の室外端末器を取付状態で示す断面図である。
【図２】  実施の形態１の室外端末器を、一部を破断して示す正面図である。
【図３】  実施の形態１の室外端末器の筒体の構成を示す断面図である。
【図４】  実施の形態１の室外端末器の筒体の他の構成を示す断面図である。
【図５】  実施の形態１の室外端末器の他の遮蔽手段の構成を示す断面図である。
【図６】  実施の形態１の他の室外端末器を示す断面図である。
【図７】  実施の形態１のさらに他の室外端末器を取付状態で示す断面図である。
【図８】  実施の形態２の室外端末器を取付状態で示す断面図である。
【図９】  実施の形態２の室外端末器を、一部を破断して示す正面図である。
【図１０】  実施の形態２の室外端末器の筒体の構成を示す断面図である。
【図１１】  実施の形態２の室外端末器の筒体の他の構成を示す断面図である。
【図１２】  実施の形態２の室外端末器の他の遮蔽手段の構成を示す断面図である。
【図１３】  実施の形態２の他の室外端末器を示す断面図である。
【符号の説明】
２  ダクト管、  ３  装着用筒部、  ４  室外側開口部、  ６  カバー部、  １０  筒体、  １２  開閉部材、  １４  遮蔽手段、  １５  板状体、  １６  温度ヒューズ、  １７  防火ダンパー。
【図１】
0004748894.tif 000002
【図２】
0004748894.tif 000003
【図３】
0004748894.tif 000004
【図４】
0004748894.tif 000005
【図５】
0004748894.tif 000006
【図６】
0004748894.tif 000007
【図７】
0004748894.tif 000008
【図８】
0004748894.tif 000009
【図９】
0004748894.tif 000010
【図１０】
0004748894.tif 000011
【図１１】
0004748894.tif 000012
【図１２】
0004748894.tif 000013
【図１３】
0004748894.tif 000014